(57)【特許請求の範囲】
【請求項１】
非接触充電停止状態で無線信号の受信状態を取得する第１の受信状態取得手段と、
前記第１の受信状態取得手段が非接触充電停止状態で無線信号の受信状態を取得した後に非接触充電を開始させる充電開始手段と、
前記充電開始手段により開始された非接触充電動作中に無線信号の受信状態を取得する第２の受信状態取得手段と、
前記第１の受信状態取得手段により取得された受信状態と、前記第２の受信状態取得手段により取得された受信状態との変化差分から受信性能が低下したか否かを判別する第１の判別手段と、
前記第１の判別手段により受信性能の低下と判別された場合に、無線信号の待ち受け受信時に非接触充電動作をオフさせ、一方、待ち受け期間中に非接触充電動作をオンさせるオンオフ制御手段と
を具備することを特徴とする充電制御装置。
【請求項２】
非接触給電装置上に載置される以前の無線信号の受信状態を取得する第３の受信状態取得手段と、
非接触給電装置上に載置された場合に、非接触充電を一時停止させる停止手段と、
前記停止手段により非接触充電停止状態にされて非接触給電装置上に載置された時の無線信号の受信状態を取得する第４の受信状態取得手段と、
前記第３の受信状態取得手段により取得された受信状態と、前記第４の受信状態取得手段により取得された受信状態との変化差分から受信性能が低下したか否かを判別する第２の判別手段と、
前記第２の判別手段により受信性能が低下したと判別された場合に、前記第４の受信状態取得手段により取得される受信状態を画面表示する受信状態表示手段と
を更に備えることを特徴とする請求項１記載の充電制御装置。
【請求項３】
前記受信状態表示手段により画面表示される受信状態が、非接触給電装置上で最も受信性能低下の少ない載置位置において取得した受信状態になった場合に、前記第１の受信状態取得手段に対して取得開始を指示する取得指示手段を更に備えることを特徴とする請求項２記載の充電制御装置。
【請求項４】
請求項１乃至３の何れかに記載の充電制御装置を具備することを特徴とする端末装置。
【請求項５】
非接触充電停止状態で無線信号の受信状態を取得する第１の受信状態取得過程と、
前記第１の受信状態取得過程が非接触充電停止状態で無線信号の受信状態を取得した後に非接触充電を開始させる充電開始過程と、
前記充電開始過程により開始された非接触充電動作中に無線信号の受信状態を取得する第２の受信状態取得過程と、
前記第１の受信状態取得過程で取得された受信状態と、前記第２の受信状態取得過程で取得された受信状態との変化差分から受信性能が低下したか否かを判別する第１の判別過程と、
前記第１の判別過程により受信性能の低下と判別された場合に、無線信号の待ち受け受信時に非接触充電動作をオフさせ、一方、待ち受け期間中に非接触充電動作をオンさせるオンオフ制御過程と
を具備することを特徴とする充電制御方法。
【請求項６】
非接触給電装置上に載置される以前の無線信号の受信状態を取得する第３の受信状態取得過程と、
非接触給電装置上に載置された場合に、非接触充電を一時停止させる停止過程と、
前記停止過程により非接触充電停止状態にされて非接触給電装置上に載置された時の無線信号の受信状態を取得する第４の受信状態取得過程と、
前記第３の受信状態取得過程により取得された受信状態と、前記第４の受信状態取得過程により取得された受信状態との変化差分から受信性能が低下したか否かを判別する第２の判別過程と、
前記第２の判別過程により受信性能が低下したと判別された場合に、前記第４の受信状態取得過程により取得される受信状態を画面表示する受信状態表示過程と
を更に備えることを特徴とする請求項５記載の充電制御方法。
【請求項７】
前記受信状態表示過程により画面表示される受信状態が、非接触給電装置上で最も受信性能低下の少ない載置位置において取得した受信状態になった場合に、前記第１の受信状態取得過程に対して取得開始を指示する取得指示過程を更に備えることを特徴とする請求項６記載の充電制御方法。
【請求項８】
コンピュータに、
非接触充電停止状態で無線信号の受信状態を取得する第１の受信状態取得ステップと、
前記第１の受信状態取得ステップにて非接触充電停止状態で無線信号の受信状態を取得した後に非接触充電を開始させる充電開始ステップと、
前記充電開始ステップで開始された非接触充電動作中に無線信号の受信状態を取得する第２の受信状態取得ステップと、
前記第１の受信状態取得ステップで取得された受信状態と、前記第２の受信状態取得ステップで取得された受信状態との変化差分から受信性能が低下したか否かを判別する第１の判別ステップと、
前記第１の判別ステップで受信性能の低下と判別された場合に、無線信号の待ち受け受信時に非接触充電動作をオフさせ、一方、待ち受け期間中に非接触充電動作をオンさせるオンオフ制御ステップと
を実行させることを特徴とするプログラム。
【発明の詳細な説明】
【技術分野】
【０００１】
本発明は、例えば携帯端末など無線通信機能を備える電子機器に設けられ、当該電子機器の非接触充電時における受信性能低下を回避する充電制御装置、充電制御方法、プログラムおよび端末装置に関する。
【背景技術】
【０００２】
ワイヤレス給電と呼ばれ、電磁誘導方式で非接触充電する技術が知られている。この種の技術として、例えば特許文献１には、非接触給電装置が備える磁束発生用の１次コイルと、携帯端末に内蔵される充電回路の２次コイルとの磁気結合により当該２次コイル側に電磁誘導される電力を用いて携帯端末側の充電回路がバッテリ充電する非接触充電システムが開示されている。
【先行技術文献】
【特許文献】
【０００３】
【特許文献１】特開２００９−１９５０３４号公報
【発明の概要】
【発明が解決しようとする課題】
【０００４】
ところで、上記特許文献１などに開示される非接触充電システムが普及した場合、さまざまな機種の携帯端末に対応可能となり利便性の向上をもたらす反面、非接触給電装置が携帯端末側の受信性能低下を招致することも起こり得る。具体的には、非接触給電装置上に載置される携帯端末の位置によってアンテナ特性が著しく劣化したり、充電時に発生するノイズにより感度劣化したりする可能性が有る。とりわけ近年では、テザリング機能により携帯端末をモバイルＷｉ−Ｆｉ（登録商標）ルータとして使用する形態も多く、こうした使用形態では、非接触給電装置上に携帯端末を載置して非接触充電しながら無線通信機能を稼働させる為、良好な受信性能を維持することが必須となる。言い換えれば、非接触充電時の受信性能低下を回避することが出来ないという問題がある。
【０００５】
本発明は、このような事情に鑑みてなされたもので、非接触充電時の受信性能低下を回避する充電制御装置、充電制御方法、プログラムおよび端末装置を提供することを目的としている。
【課題を解決するための手段】
【０００６】
上記目的を達成するため、本発明の充電制御装置は、非接触充電停止状態で無線信号の受信状態を取得する第１の受信状態取得手段と、前記第１の受信状態取得手段が非接触充電停止状態で無線信号の受信状態を取得した後に非接触充電を開始させる充電開始手段と、前記充電開始手段により開始された非接触充電動作中に無線信号の受信状態を取得する第２の受信状態取得手段と、前記第１の受信状態取得手段により取得された受信状態と、前記第２の受信状態取得手段により取得された受信状態との変化差分から受信性能が低下したか否かを判別する第１の判別手段と、前記第１の判別手段により受信性能の低下と判別された場合に、無線信号の待ち受け受信時に非接触充電動作をオフさせ、一方、待ち受け期間中に非接触充電動作をオンさせるオンオフ制御手段とを具備することを特徴とする。
【０００７】
また、本発明の充電制御方法は、非接触充電停止状態で無線信号の受信状態を取得する第１の受信状態取得過程と、前記第１の受信状態取得過程が非接触充電停止状態で無線信号の受信状態を取得した後に非接触充電を開始させる充電開始過程と、前記充電開始過程により開始された非接触充電動作中に無線信号の受信状態を取得する第２の受信状態取得過程と、前記第１の受信状態取得過程で取得された受信状態と、前記第２の受信状態取得過程で取得された受信状態との変化差分から受信性能が低下したか否かを判別する第１の判別過程と、前記第１の判別過程により受信性能の低下と判別された場合に、無線信号の待ち受け受信時に非接触充電動作をオフさせ、一方、待ち受け期間中に非接触充電動作をオンさせるオンオフ制御過程とを具備することを特徴とする。
【０００８】
さらに、本発明のプログラムは、コンピュータに、非接触充電停止状態で無線信号の受信状態を取得する第１の受信状態取得ステップと、前記第１の受信状態取得ステップにて非接触充電停止状態で無線信号の受信状態を取得した後に非接触充電を開始させる充電開始ステップと、前記充電開始ステップで開始された非接触充電動作中に無線信号の受信状態を取得する第２の受信状態取得ステップと、前記第１の受信状態取得ステップで取得された受信状態と、前記第２の受信状態取得ステップで取得された受信状態との変化差分から受信性能が低下したか否かを判別する第１の判別ステップと、前記第１の判別ステップで受信性能の低下と判別された場合に、無線信号の待ち受け受信時に非接触充電動作をオフさせ、一方、待ち受け期間中に非接触充電動作をオンさせるオンオフ制御ステップとを実行させることを特徴とする。
【発明の効果】
【０００９】
本発明では、非接触充電時の受信性能低下を回避することができる。
【図面の簡単な説明】
【００１０】
【図１】実施の一形態による携帯端末１００の構成を示すブロック図である。
【図２】ＲＯＭ１１に記憶される表示判定テーブルの一例を示す図である。
【図３】受信状態確認画面の一例を示す図である。
【図４】非接触給電装置２００と、当該非接触給電装置２００上に載置される携帯端末１００との関係を示す図である。
【図５】充電回路１８ａをオンオフ制御するタイミングの一例を示す図である。
【図６】充電制御処理の動作を示すフローチャートである。
【図７】充電制御処理の動作を示すフローチャートである。
【図８】非接触給電装置２００上で最も受信性能低下の少ない載置位置を探すべく携帯端末１００を移動させる方向を示す図である。
【図９】付記３記載の充電制御装置の構成を示すブロック図である。
【発明を実施するための形態】
【００１１】
以下、図面を参照して本発明の実施形態について説明する。
Ａ．構成
図１は、実施の一形態による充電制御装置を備えた携帯端末１００の構成を示すブロック図である。この図において、制御部１０は、ＣＰＵおよび入出力回路などから構成され、操作部１４（後述する）から供給されるイベントに応じて端末各部の動作を制御する他、電源部１８が発生する充電開始イベントに応じて本発明の要旨に係わる充電制御処理を実行する。充電制御処理の動作については追って詳述する。
【００１２】
第１無線部１１は、制御部１０の制御の下に、所定の通信方式（例えばＣＤＭＡ）に基づき基地局（不図示）とデータ通信したり音声通話したりする。なお、音声通話する場合、第１無線部１１ではアンテナＡＮＴ１を介して受信したデータを処理して制御部１０に出力し、音声信号処理部１３により、制御部１０から受けた音声データに対して復号化、ＤＡ変換（Digital Analog変換）、増幅等の処理を施してアナログの音声信号に変換してからスピーカＳＰへ出力する。 また、マイクＭＩＣから入力される音声を増幅し、ＡＤ変換（Analog Digital変換）を実行した後さらに符号化等の信号処理を施して、ディジタルの音声データに変換して制御部１０へ出力し、送信データを第１無線部１１に入力し、アンテナＡＮＴ１から送出する。また、第１無線部１１は、基地局からの無線信号を受信してＲＳＳＩ値（受信信号強度）およびＥｃ／Ｉｏ値（パイロット信号強度／全受信信号強度）を検出して制御部１０に出力する機能を備える。
【００１３】
第２無線部１２は、制御部１０の制御の下に、ルータなどのアクセスポイントと無線ＬＡＮ接続して短距離無線データ通信したり、あるいはヘッドセットなどの他のブルートゥース（登録商標）機器と短距離無線データ通信する。この第２無線部１２は、上記の第１無線部１１と同様、通信先からの無線信号を受信してＲＳＳＩ値（受信信号強度）およびＥｃ／Ｉｏ値（パイロット信号強度／全受信信号強度）を検出して制御部１０に出力する機能を有する。
【００１４】
音声信号処理部１３は、スピーカＳＰおよびマイクＭＩＣを備え、第１無線部１１が音声通話する場合に制御部１０から供給される音声データを音声信号にＤ／Ａ変換してスピーカＳＰから発音させたり、マイクＭＩＣから出力される音声信号を音声データにＡ／Ｄ変換して制御部１０に供給する。
【００１５】
ＲＯＭ１４は、プログラムエリアおよびデータエリアを備える。ＲＯＭ１４のプログラムエリアには、制御部１０により実行される各種プログラムが記憶される。各種プログラムとは、後述する充電制御処理を含む。ＲＯＭ１４のデータエリアには、例えば待受画面や受信状態確認画面（後述する）などの各種表示画面を形成する画面データの他、表示判定テーブルＨＴを記憶する。
【００１６】
ここで、図２を参照して表示判定テーブルＨＴの内容について説明する。表示判定テーブルＨＴとは、第１無線部１１（又は第２無線部１２）により検出されるＲＳＳＩ値（受信信号強度）と、Ｅｃ／Ｉｏ値（パイロット信号強度／全受信信号強度）とに対応した受信レベル値を読み出すデータテーブルである。例えば図２に図示する一例の表示判定テーブルＨＴにおいて、ＲＳＳＩ値が「６」、Ｅｃ／Ｉｏ値が「６」の場合には受信レベル値「６」が読み出される。
【００１７】
こうして表示判定テーブルＨＴから読み出される受信レベル値は、図３に図示する一例の受信状態確認画面におけるレベルバー表示に用いられる。すなわち、図３に図示する受信状態確認画面は、例えばＣＤＭＡ方式で通信する第１無線部１１により検出されたＲＳＳＩ値とＥｃ／Ｉｏ値とに応じて表示判定テーブルＨＴから読み出される受信レベル値がレベルバー表示されると共に、例えば無線ＬＡＮ通信する第２無線部１２により検出されたＲＳＳＩ値とＥｃ／Ｉｏ値とに応じて表示判定テーブルＨＴから読み出される受信レベル値がレベルバー表示される。
【００１８】
なお、受信状態確認画面とは、非接触給電装置２００上に載置される携帯端末１００の位置をユーザが上下左右方向へ移動させながら最も受信性能低下の少ない載置位置を探すのに用いられる画面である。また、この受信状態確認画面には、タッチ操作されるＳＥＴ終了ボタンＳＢが設けられており、後述するように、最も受信性能低下の少ない載置位置が見つかって受信状態の確認を完了する際にユーザが当該ＳＥＴ終了ボタンＳＢをタッチ操作するようになっている。
【００１９】
ＲＡＭ１５は、制御部１０の処理に用いる各種レジスタ・フラグデータを一時記憶するワークエリアの他、送受信メールやアドレスなどのユーザデータを保存するユーザエリアを備える。表示部１６は、カラー液晶パネルおよび表示ドライバから構成され、制御部１０の制御の下に、待受画面など各種の操作画面を表示する。また、表示部１６の表示画面上には、操作部１７のタッチ操作部の構成要素となるタッチパネルが設けられる。操作部１７は、キー操作部とタッチ操作部とから構成される。操作部１７のキー操作部は、パワーオンオフする電源スイッチや音量ボタン等の操作キーを備え、キー操作に応じたイベントを発生して制御部１０に出力する。操作部１７のタッチ操作部は、表示部１６の表示画面上に配設されるタッチパネルから構成され、そのタッチパネルのタッチ操作に応じた出力（操作イベント）を発生する。
【００２０】
電源部１８は、２次コイルを有する充電回路１８ａおよび充電池１８ｂを備える。電源部１８では、図４に図示するように、携帯端末１００が非接触給電装置２００上に載置され、当該非接触給電装置２００が備える磁束発生用の１次コイルと、充電回路１８ａの２次コイルとの磁気結合により当該２次コイル側に電力が生じた場合に充電開始イベントを発生して制御部１０に出力する。
【００２１】
また、電源部１８は、携帯端末１００が非接触給電装置２００上に載置されている場合に、制御部１０の指示に応じて充電回路１８ａをオンオフ制御する。具体的には、図５に図示するように、第１無線部１１がＲＳＳＩ値およびＥｃ／Ｉｏ値を検出するタイミングＴｄ中に充電回路１８ａをオフさせ、一方、第１無線部１１が待ち受けタイミングＴｗ中に充電回路１８ａをオンさせる。なお、こうしたオンオフ制御が意図するところについては追って述べる。
【００２２】
Ｂ．動作
次に、図６〜図８を参照して、上記構成による携帯端末１００の制御部１０が実行する充電制御処理の動作を説明する。制御部１０では、携帯端末１００が非接触給電装置２００上に載置され、これに応じて電源部１８が充電開始イベントを発生した場合に充電制御処理を実行する。本処理が実行されると、制御部１０は、図６に図示するステップＳ１に進み、電源部１８に充電開始を指示する。これにより、電源部１８の充電回路１８ａが非接触充電を開始する。
【００２３】
続いて、ステップＳ２では、アンテナピクト更新前の受信状態（電波状態の表示であるアンテナピクトを定期的に受信状態を確認した際に更新するが、その直近の更新前の受信状態）、すなわち携帯端末１００が非接触給電装置２００上に載置される以前に第１無線部１１において検出されたＲＳＳＩ値およびＥｃ／Ｉｏ値を、それぞれレジスタＲａ１、Ｒａ２に格納する。レジスタＲａ１に格納されたＲＳＳＩ値を充電開始前ＲＳＳＩ値、レジスタＲａ２に格納されたＥｃ／Ｉｏ値を充電開始前Ｅｃ／Ｉｏ値と称す。
【００２４】
こうして、充電開始前ＲＳＳＩ値および充電開始前Ｅｃ／Ｉｏ値を取得し終えると、ステップＳ３に進み、電源部１８に充電一時停止を指示する。次いで、ステップＳ４では、電源部１８が非接触充電を一時停止させている状態で第１無線部１１が検出するＲＳＳＩ値およびＥｃ／Ｉｏ値を、それぞれレジスタＲｂ１、Ｒｂ２に格納する。レジスタＲｂ１に格納されたＲＳＳＩ値を充電停止時ＲＳＳＩ値、レジスタＲｂ２に格納されたＥｃ／Ｉｏ値を充電停止時Ｅｃ／Ｉｏ値と称す。
【００２５】
そして、ステップＳ５に進むと、レジスタＲａ１の値からレジスタＲｂ１の値を減算して得られる「充電開始前ＲＳＳＩ値−充電停止時ＲＳＳＩ値」が閾値Ｆ１以上、あるいはレジスタＲａ２の値からレジスタＲｂ２の値を減算して得られる「充電開始前Ｅｃ／Ｉｏ値−充電停止時Ｅｃ／Ｉｏ値」が閾値Ｆ２以上の何れかに該当するか否かを判断する。つまり、携帯端末１００を非接触給電装置２００上に載置しただけで受信性能が低下するか否かを判断する。
【００２６】
携帯端末１００を非接触給電装置２００上に載置してもＲＳＳＩ値（又はやＥｃ／Ｉｏ値）が閾値Ｆ１（又はＦ２）以上低減せず、受信性能低下を招かなければ、上記ステップＳ５の判断結果は「ＮＯ」になり、後述するステップＳ１０（図７参照）に処理を進める。
【００２７】
これに対し、携帯端末１００を非接触給電装置２００上に載置したことで受信性能が低下し、ＲＳＳＩ値（又はＥｃ／Ｉｏ値）が閾値Ｆ１（又は閾値Ｆ２）以上低減すると、上記ステップＳ５の判断結果は「ＹＥＳ」になり、ステップＳ６に進み、図３に図示した一例の受信状態確認画面を表示部１６に表示する。
【００２８】
続いて、ステップＳ７〜Ｓ９では、最も受信性能低下の少ない載置位置を探す為、図８に図示するように、ユーザが非接触給電装置２００上で携帯端末１００の載置位置を上下左右の各位置に移動させる過程で、第１無線部１１が検出するＲＳＳＩ値およびＥｃ／Ｉｏ値を取得し（ステップＳ７）、表示判定テーブルＨＴ（図２参照）を参照して、取得したＲＳＳＩ値およびＥｃ／Ｉｏ値を受信レベル値に変換し、それを受信状態確認画面でレベルバー表示する（ステップＳ８）。そして、ステップＳ９では、受信状態確認画面に設けられるＳＥＴ終了ボタンＳＢのタッチ操作の有無を判断する。
【００２９】
最も受信性能低下の少ない載置位置を探している状態では、受信状態確認画面のＳＥＴ終了ボタンＳＢはタッチ操作されず、上記ステップＳ９の判断結果は「ＮＯ」になり、上記ステップＳ７に処理を戻す。そして、最も受信性能低下の少ない載置位置が見つかり、ユーザが受信状態確認画面のＳＥＴ終了ボタンＳＢをタッチ操作したとする。そうすると、上記ステップＳ９の判断結果が「ＹＥＳ」になり、図７に図示するステップＳ１０に処理を進める。
【００３０】
ステップＳ１０では、最も受信性能低下の少ない載置位置において第１無線部１１が検出するＲＳＳＩ値およびＥｃ／Ｉｏ値を、それぞれレジスタＲｃ１、Ｒｃ２に格納する。レジスタＲｃ１に格納されたＲＳＳＩ値を充電位置調整後ＲＳＳＩ値、レジスタＲｃ２に格納されたＥｃ／Ｉｏ値を充電位置調整後Ｅｃ／Ｉｏ値と称す。
【００３１】
そして、ステップＳ１１に進むと、電源部１８に充電開始を指示する。これにより、電源部１８の充電回路１８ａが非接触充電を開始する。続いて、ステップＳ１２では、電源部１８が非接触充電している状態下で第１無線部１１が検出するＲＳＳＩ値およびＥｃ／Ｉｏ値を、それぞれレジスタＲｄ１、Ｒｄ２に格納する。レジスタＲｄ１に格納されたＲＳＳＩ値を充電動作時ＲＳＳＩ値、レジスタＲｄ２に格納されたＥｃ／Ｉｏ値を充電動作時Ｅｃ／Ｉｏ値と称す。
【００３２】
次いで、ステップＳ１３では、レジスタＲｃ１の値からレジスタＲｄ１の値を減算して得られる「充電位置調整後ＲＳＳＩ値−充電動作時ＲＳＳＩ値」が閾値Ｇ１以上、あるいはレジスタＲｃ２の値からレジスタＲｄ２の値を減算して得られる「充電位置調整後Ｅｃ／Ｉｏ値−充電動作時Ｅｃ／Ｉｏ値」が閾値Ｇ２以上の何れかに該当するか否かを判断する。つまり、非接触充電動作時に受信性能が低下するか否かを判断する。
【００３３】
非接触充電動作時に受信性能が低下しなければ、上記ステップＳ１３の判断結果は「ＮＯ」になり、本処理を終える。これに対し、非接触充電動作時に受信性能が低下すると、上記ステップＳ１３の判断結果は「ＹＥＳ」になり、ステップＳ１４に進み、図５に図示するように、第１無線部１１がＲＳＳＩ値およびＥｃ／Ｉｏ値を検出するタイミングＴｄ（待ち受け受信時）に充電回路１８ａをオフさせ、一方、第１無線部１１が待ち受けタイミングＴｗ中に充電回路１８ａをオンさせるよう充電制御して本処理を終える。つまり、待ち受け受信時だけ非接触充電を一時的に停止させることで受信性能低下を回避する。
【００３４】
以上のように、本実施形態では、充電開始前に取得した受信状態（ＲＳＳＩ値およびＥｃ／Ｉｏ値）と充電停止時に取得した受信状態（ＲＳＳＩ値およびＥｃ／Ｉｏ値）との変化差分に基づき携帯端末１００を非接触給電装置２００上に載置しただけで受信性能が低下するか否かを判断し、受信性能が低下した場合には、取得した受信状態（ＲＳＳＩ値およびＥｃ／Ｉｏ値）を受信レベル値に変換して受信状態確認画面にレベルバー表示するので、ユーザは受信状態確認画面のレベルバー表示を見ながら非接触給電装置２００上で最も受信性能低下の少ない載置位置を探し出すことが出来る。
【００３５】
そして、非接触充電停止状態で取得した受信状態（ＲＳＳＩ値およびＥｃ／Ｉｏ値）と、非接触充電動作させて取得した受信状態（ＲＳＳＩ値およびＥｃ／Ｉｏ値）との変化差分に基づき非接触充電時に受信性能が低下するか否かを判断し、受信性能が低下した場合には、図５に図示するように、第１無線部１１がＲＳＳＩ値およびＥｃ／Ｉｏ値を検出するタイミングＴｄ（待ち受け受信時）に充電回路１８ａをオフさせ、一方、第１無線部１１が待ち受けタイミングＴｗ中に充電回路１８ａをオンさせる充電制御を行うことで受信性能低下を回避することが出来る。
【００３６】
なお、上述した実施形態では、ＲＳＳＩ値の変化差分又はＥｃ／Ｉｏ値の変化差分の何れか一方が予め設定される閾値以上となった場合に受信性能の低下（劣化）と判別するようにしたが、これに限らず、表示判定テーブルＨＴ（図２参照）を参照し、検出した受信状態（ＲＳＳＩ値およびＥｃ／Ｉｏ値）を受信レベル値に変換し、変換された受信レベル値の変化差分が予め設定される閾値以上となった場合に受信性能の低下（劣化）と判別する態様としても構わない。
【００３７】
また、上述した実施形態では、非接触充電方式として、電磁誘導を用いた電磁誘導方式を一例に挙げて説明したが、本発明の要旨は電磁誘導方式による非接触充電に限定されず、電磁界の共鳴を利用した電磁界共鳴方式、電波として電力を伝える電波方式など、非接触で充電する方式であれば、どの様な方式にも適用可能であることは言うまでもない。
【００３８】
さらに、本発明は、上述した実施形態や変形例に限定されるものではなく、本発明の範囲で種々変形することが可能である。一例として挙げれば、本実施形態は、携帯電話やスマートフォン等の端末装置に限らず、他の装置（ゲーム装置、タブレットＰＣ、ラップトップ／ノートＰＣなど）にも適用可能である。
【００３９】
Ｄ．付記３記載の充電制御装置と実施形態との対応関係
次に、図９を参照して付記３記載の充電制御装置と実施形態との対応関係について説明する。図９は、付記３記載の充電制御装置の構成を示すブロック図である。この図において、第１の受信状態取得手段２０は、実施形態における制御部１０が実行するステップＳ１０（図７参照）の動作および第１無線部１１の機能に相当する。充電開始手段３０は、実施形態における制御部１０が実行するステップＳ１１（図７参照）の動作に相当する。
【００４０】
第３の受信状態取得手段４０は、実施形態における制御部１０が実行するステップＳ１２（図７参照）の動作および第１無線部１１の機能に相当する。第１の判別手段５０は、実施形態における制御部１０が実行するステップＳ１３（図７参照）の動作に相当する。オンオフ制御手段６０は、実施形態における制御部１０が実行するステップＳ１４（図７参照）の動作に相当する。
【００４１】
上記構成によれば、第１の受信状態取得手段２０が非接触充電停止状態で無線信号の受信状態を取得すると、充電開始手段３０が非接触充電を開始させ、これにより開始された非接触充電動作中に第３の受信状態取得手段４０が無線信号の受信状態を取得する。そして、第１の判別手段５０では、第１の受信状態取得手段２０で取得された受信状態と、第３の受信状態取得手段４０により取得された受信状態との変化差分から受信性能が低下したか否かを判別し、受信性能の低下と判別されると、オンオフ制御手段６０が無線信号の待ち受け受信時に非接触充電動作をオフさせ、一方、待ち受け期間中に非接触充電動作をオンさせる充電制御を行う為、受信性能の劣化を回避することが出来る。
【００４２】
Ｅ．付記
次に、本発明の特徴を付記する。なお、上記の実施形態の一部又は全部は、以下の付記のように記載され得るが、その記載に限定されるものではない。
【００４３】
（付記１）
無線信号の受信状態から受信性能の低下と判別された場合に、無線信号の待ち受け受信時に非接触充電動作をオフさせ、一方、待ち受け期間中に非接触充電動作をオンさせるオンオフ制御手段を具備することを特徴とする充電制御装置。
【００４４】
（付記２）
非接触充電停止状態で無線信号の受信状態を取得する第１の受信状態取得手段と、
非接触充電動作中に無線信号の受信状態を取得する第２の受信状態取得手段と、
前記第１の受信状態取得手段により取得された受信状態と、前記第２の受信状態取得手段により取得された受信状態との変化差分から受信性能が低下したか否かを判別する第１の判別手段と、
前記第１の判別手段により受信性能の低下と判別された場合に、無線信号の待ち受け受信時に非接触充電動作をオフさせ、一方、待ち受け期間中に非接触充電動作をオンさせるオンオフ制御手段と
を具備することを特徴とする充電制御装置。
【００４５】
（付記３）
非接触充電停止状態で無線信号の受信状態を取得する第１の受信状態取得手段と、
前記第１の受信状態取得手段が非接触充電停止状態で無線信号の受信状態を取得した後に非接触充電を開始させる充電開始手段と、
前記充電開始手段により開始された非接触充電動作中に無線信号の受信状態を取得する第３の受信状態取得手段と、
前記第１の受信状態取得手段により取得された受信状態と、前記第３の受信状態取得手段により取得された受信状態との変化差分から受信性能が低下したか否かを判別する第１の判別手段と、
前記第１の判別手段により受信性能の低下と判別された場合に、無線信号の待ち受け受信時に非接触充電動作をオフさせ、一方、待ち受け期間中に非接触充電動作をオンさせるオンオフ制御手段と
を具備することを特徴とする充電制御装置。
【００４６】
（付記４）
非接触給電装置上に載置される以前の無線信号の受信状態を取得する第４の受信状態取得手段と、
非接触給電装置上に載置された場合に、非接触充電を一時停止させる停止手段と、
前記停止手段により非接触充電停止状態にされて非接触給電装置上に載置された時の無線信号の受信状態を取得する第５の受信状態取得手段と、
前記第４の受信状態取得手段により取得された受信状態と、前記第５の受信状態取得手段により取得された受信状態との変化差分から受信性能が低下したか否かを判別する第２の判別手段と、
前記第２の判別手段により受信性能が低下したと判別された場合に、前記第５の受信状態取得手段により取得される受信状態を画面表示する受信状態表示手段と
を更に備えることを特徴とする付記１乃至３の何れかに記載の充電制御装置。
【００４７】
（付記５）
前記受信状態表示手段により画面表示される受信状態が、非接触給電装置上で最も受信性能低下の少ない載置位置において取得した受信状態になった場合に、前記第１の受信状態取得手段に対して取得開始を指示する取得指示手段を更に備えることを特徴とする付記１乃至４の何れかに記載の充電制御装置。
【００４８】
（付記６)
付記１乃至５の何れかに記載の充電制御装置を具備することを特徴とする端末装置。
【００４９】
（付記７）
無線信号の受信状態から受信性能の低下と判別された場合に、無線信号の待ち受け受信時に非接触充電動作をオフさせ、一方、待ち受け期間中に非接触充電動作をオンさせるオンオフ制御過程を具備することを特徴とする充電制御方法。
【００５０】
（付記８）
非接触充電停止状態で無線信号の受信状態を取得する第１の受信状態取得過程と、
非接触充電動作中に無線信号の受信状態を取得する第２の受信状態取得過程と、
前記第１の受信状態取得過程により取得された受信状態と、前記第２の受信状態取得過程により取得された受信状態との変化差分から受信性能が低下したか否かを判別する第１の判別過程と、
前記第１の判別過程により受信性能の低下と判別された場合に、無線信号の待ち受け受信時に非接触充電動作をオフさせ、一方、待ち受け期間中に非接触充電動作をオンさせるオンオフ制御過程と
を具備することを特徴とする充電制御方法。
【００５１】
（付記９）
非接触充電停止状態で無線信号の受信状態を取得する第１の受信状態取得過程と、
前記第１の受信状態取得過程が非接触充電停止状態で無線信号の受信状態を取得した後に非接触充電を開始させる充電開始過程と、
前記充電開始過程により開始された非接触充電動作中に無線信号の受信状態を取得する第３の受信状態取得過程と、
前記第１の受信状態取得過程で取得された受信状態と、前記第３の受信状態取得過程で取得された受信状態との変化差分から受信性能が低下したか否かを判別する第１の判別過程と、
前記第１の判別過程により受信性能の低下と判別された場合に、無線信号の待ち受け受信時に非接触充電動作をオフさせ、一方、待ち受け期間中に非接触充電動作をオンさせるオンオフ制御過程と
を具備することを特徴とする充電制御方法。
【００５２】
（付記１０）
非接触給電装置上に載置される以前の無線信号の受信状態を取得する第４の受信状態取得過程と、
非接触給電装置上に載置された場合に、非接触充電を一時停止させる停止過程と、
前記停止過程により非接触充電停止状態にされて非接触給電装置上に載置された時の無線信号の受信状態を取得する第５の受信状態取得過程と、
前記第４の受信状態取得過程で取得された受信状態と、前記第５の受信状態取得過程で取得された受信状態との変化差分から受信性能が低下したか否かを判別する第２の判別過程と、
前記第２の判別過程により受信性能が低下したと判別された場合に、前記第５の受信状態取得過程で取得される受信状態を画面表示する受信状態表示過程と
を更に備えることを特徴とする付記７乃至９の何れかに記載の充電制御方法。
【００５３】
（付記１１）
前記受信状態表示過程で画面表示される受信状態が、非接触給電装置上で最も受信性能低下の少ない載置位置において取得した受信状態になった場合に、前記第１の受信状態取得過程に対して取得開始を指示する取得指示過程を更に備えることを特徴とする付記７乃至１０の何れかに記載の充電制御方法。
【００５４】
（付記１２）
コンピュータに、
無線信号の受信状態から受信性能の低下と判別された場合に、無線信号の待ち受け受信時に非接触充電動作をオフさせ、一方、待ち受け期間中に非接触充電動作をオンさせるオンオフ制御ステップを実行させる具備することを特徴とするプログラム。
【００５５】
（付記１３）
コンピュータに、
非接触充電停止状態で無線信号の受信状態を取得する第１の受信状態取得ステップと、
非接触充電動作中に無線信号の受信状態を取得する第２の受信状態取得ステップと、
前記第１の受信状態取得ステップにより取得された受信状態と、前記第２の受信状態取得ステップにより取得された受信状態との変化差分から受信性能が低下したか否かを判別する第１の判別ステップと、
前記第１の判別ステップにより受信性能の低下と判別された場合に、無線信号の待ち受け受信時に非接触充電動作をオフさせ、一方、待ち受け期間中に非接触充電動作をオンさせるオンオフ制御ステップと
を実行させることを特徴とするプログラム。
【００５６】
（付記１４）
コンピュータに、
非接触充電停止状態で無線信号の受信状態を取得する第１の受信状態取得ステップと、
前記第１の受信状態取得ステップが非接触充電停止状態で無線信号の受信状態を取得した後に非接触充電を開始させる充電開始ステップと、
前記充電開始ステップにより開始された非接触充電動作中に無線信号の受信状態を取得する第３の受信状態取得ステップと、
前記第１の受信状態取得ステップで取得された受信状態と、前記第３の受信状態取得ステップで取得された受信状態との変化差分から受信性能が低下したか否かを判別する第１の判別ステップと、
前記第１の判別ステップにより受信性能の低下と判別された場合に、無線信号の待ち受け受信時に非接触充電動作をオフさせ、一方、待ち受け期間中に非接触充電動作をオンさせるオンオフ制御ステップと
を実行させることを特徴とするプログラム。
【００５７】
（付記１５）
コンピュータに、
非接触給電装置上に載置される以前の無線信号の受信状態を取得する第４の受信状態取得ステップと、
非接触給電装置上に載置された場合に、非接触充電を一時停止させる停止ステップと、
前記停止ステップにより非接触充電停止状態にされて非接触給電装置上に載置された時の無線信号の受信状態を取得する第５の受信状態取得ステップと、
前記第４の受信状態取得ステップで取得された受信状態と、前記第５の受信状態取得ステップで取得された受信状態との変化差分から受信性能が低下したか否かを判別する第２の判別ステップと、
前記第２の判別ステップにより受信性能が低下したと判別された場合に、前記第５の受信状態取得ステップで取得される受信状態を画面表示する受信状態表示ステップと
を更に実行させることを特徴とする付記１２乃至１４の何れかに記載のプログラム。
【００５８】
（付記１６）
前記受信状態表示ステップで画面表示される受信状態が、非接触給電装置上で最も受信性能低下の少ない載置位置において取得した受信状態になった場合に、前記第１の受信状態取得ステップに対して取得開始を指示する取得指示ステップを更に備えることを特徴とする付記１２乃至１５の何れかに記載のプログラム。
【符号の説明】
【００５９】
１０  制御部
１１  第１無線部
１２  第２無線部
１３  音声信号処理部
１４  ＲＯＭ
１５  ＲＡＭ
１６  表示部
１７  操作部
１８  電源部
１８ａ  充電回路
１８ｂ  充電池
２０  第１の受信状態取得手段
３０  充電開始手段
４０  第２の受信状態取得手段
５０  第１の判別手段
６０  オンオフ制御手段
１００  携帯端末
２００  非接触給電装置
【図１】
0005910145.tif 000002
【図２】
0005910145.tif 000003
【図３】
0005910145.tif 000004
【図４】
0005910145.tif 000005
【図５】
0005910145.tif 000006
【図６】
0005910145.tif 000007
【図７】
0005910145.tif 000008
【図８】
0005910145.tif 000009
【図９】
0005910145.tif 000010